(57)【要約】      （修正有）【課題】ユーザの利便性を確保しつつ、通信装置の消費電力を充分に低減する。【解決手段】通信装置は、周辺の明るさを検出する照度センサと、外部と通信するための無線ＬＡＮ（local area network）インタフェース、有線ＬＡＮインタフェース及びＷＡＮ（wide area network）インタフェースと、検出された明るさと所定の閾値との比較結果に基づいて通信インタフェースへの電源供給を制御する制御部と、を備える。【選択図】図１
2014206842.tif 000002
【特許請求の範囲】
【請求項１】
周辺の明るさを検出する照度センサと、
外部と通信するための通信インタフェースと、
検出された前記明るさと所定の閾値との比較結果に基づいて前記通信インタフェースへの電源供給を制御する制御部と、
を備えることを特徴とする通信装置。
【請求項２】
前記制御部は、前記明るさが前記閾値以上である場合には前記通信インタフェースへの電源供給を制限せず、前記明るさが前記閾値未満である場合には前記通信インタフェースへの電源供給を制限する、ことを特徴とする請求項１に記載された通信機器。
【請求項３】
前記制御部は、前記明るさが前記閾値未満である場合には前記通信インタフェースへの電源供給を制限せず、前記明るさが前記閾値以上である場合には前記通信インタフェースへの電源供給を制限する、ことを特徴とする請求項１に記載された通信機器。
【請求項４】
前記通信インタフェースを複数備え、前記制御部は、前記複数の通信インタフェース毎に前記通信インタフェースへの電源供給を制御する、ことを特徴とする請求項１乃至３のいずれかに記載された通信機器。
【請求項５】
前記通信インタフェースは、無線ＬＡＮ（local area network）インタフェース、有線ＬＡＮインタフェース及びＷＡＮ（wide area network）インタフェースを含んで構成され、前記制御部は、前記無線ＬＡＮインタフェース、前記有線ＬＡＮインタフェース及び前記ＷＡＮ（wide area network）インタフェース毎に電源供給を制御する、ことを特徴とする請求項４に記載された通信機器。
【請求項６】
周辺の明るさを検出し、
通信インタフェースによって外部と通信し、
検出された前記明るさと所定の閾値との比較結果に基づいて前記通信インタフェースへの電源供給を制御する、
ことを特徴とする通信装置の制御方法。
【請求項７】
周辺の明るさを検出する手順、
通信インタフェースによって外部と通信する手順、
検出された前記明るさと所定の閾値との比較結果に基づいて前記通信インタフェースへの電源供給を制御する手順、
を通信装置のコンピュータに実行させる、通信装置の制御プログラム。
【発明の詳細な説明】
【技術分野】
【０００１】
本発明は、通信装置、通信装置の制御方法及び通信装置の制御プログラムに関し、特に、省電力機能を備える通信装置、通信装置の制御方法及び通信装置の制御プログラムに関する。
【背景技術】
【０００２】
インターネットの普及に伴い、企業のみならず家庭においてもルータ等の通信装置が広く使用されるようになっている。一方で、エネルギー消費の削減に対する社会的な要請も高まっており、通信装置に関しても省電力機能を搭載することによる消費電力の低減が求められるようになってきている。
【０００３】
省電力機能を備えた通信装置として、タイマの設定により、所定の時間帯には有線ＬＡＮ（local area network）インタフェースの接続を切断し、あるいは、無線ＬＡＮの電波の出力を抑える機能を備えたルータが知られている。さらに、ユーザがスイッチを外部から操作することにより、省電力状態に移行する機能を備えたルータも知られている。例えば、タイマを用いて深夜には消費電力を低減させるように設定することで、ユーザの就寝中等の、ルータが使用されない時間帯におけるルータの消費電力を低減することが可能となる。
【０００４】
図１４は、本発明に関連する、省電力システム９の構成を示す図である。ルータ９００は、タイマ９０１をユーザが設定することで、所定の時刻に省電力状態に移行し、あるいは、省電力状態から復帰する。具体的には、省電力状態の開始時刻になると、タイマ９０１の制御により、無線接続機器９０３及び有線接続機器９０４とを接続するための通信インタフェース９０２への電源供給が停止される。省電力状態からの復帰時刻までの間に通信インタフェース９０２への電源供給が停止されることで、ルータ９００の省電力制御が行われる。
【０００５】
本発明に関連して、特許文献１には、無線ＬＡＮ端末が接続されていない状態では、ＷＡＮ（wide area network）側のインタフェースを休止させる機能を備えた無線中継装置が記載されている。
【先行技術文献】
【特許文献】
【０００６】
【特許文献１】特開２０１２−０１０２６１号公報（段落［００２６］、図１）
【発明の概要】
【発明が解決しようとする課題】
【０００７】
図１４に記載された省電力システム９では、タイマ９０１によりルータ９００は省電力状態に移行する。そして、省電力状態では、ルータ９００内の省電力制御を受けている部分の機能は停止される。
【０００８】
しかしながら、このようなタイマを用いた制御では、省電力制御が行われる時間帯が固定されてしまうため、ユーザの状況に応じて通信装置の省電力状態への移行及び省電力状態の解除を制御することができない。例えば、ユーザの標準的な就寝時刻及び起床時刻に合わせて通信装置が省電力状態に移行するようにタイマが設定されていると、ユーザが深夜に通信装置を使用しようとしても、ユーザが通信装置を使用できない。あるいは、ユーザが、日中、通信装置の利用を開始する時刻が標準的な時刻よりも遅くなると、通信装置の省電力状態がタイマにより解除された後、通信装置が利用開始されるまでの時間が長くなり、充分な省電力効果が得られない。
【０００９】
図１５は、本発明に関連する、ユーザの状態と通信装置の動作状態との関係の例を示す図である。通信装置は、例えば、ユーザのパーソナルコンピュータとインターネットとを接続するルータである。図１５では、ユーザの就寝時刻から起床時刻までの期間は、通常はユーザがルータを使用しない時間帯である。従って、就寝時刻から起床時刻までの間は、ルータは省電力制御されてもよい。また、ルータの省電力制御中は、ユーザのパーソナルコンピュータとインターネットとを接続する機能は停止される。
【００１０】
図１５の（１）は省電力機能を持たないルータの動作を示す。省電力機能を持たないルータでは、ユーザがルータを使用しない時間帯でも通常通り動作している。このため、省電力機能を持たないルータは、省電力機能を持つルータと比較して、常に消費電力が大きい。図１５の（２）は、ユーザの就寝前及び起床後のボタン操作により省電力制御が行われるルータの動作を示す。ボタン操作により省電力制御が行われるルータでは、ボタン操作により省電力制御は行われるものの、ユーザがボタン操作を失念すると、省電力効果が得られない。図１５の（３）は、タイマにより省電力制御が行われるルータの動作を示す。ルータが省電力制御のためのタイマを備える場合には、ユーザがルータを操作して省電力状態へ移行させる必要はない。しかし、タイマにより省電力制御では、ユーザがルータを使用するか否かにかかわらず省電力制御が行われてしまうため、ユーザの利便性が損なわれる恐れがあるという課題がある。
【００１１】
また、特許文献１に記載された無線中継装置は、無線インタフェースに無線ＬＡＮ端末が接続されているか否かにより省電力制御を行う。このため、特許文献１に記載された無線中継装置は、ユーザの操作を必要とせずに省電力制御が可能であるものの、無線インタフェースへの接続の有無を確認するために無線インタフェースに常時電源を供給する必要があり、充分な省電力効果が得られないという課題がある。
【００１２】
このように、本発明に関連するルータや特許文献１に記載された無線中継装置には、ユーザの利便性を確保しつつ、通信装置の消費電力を充分に低減することが困難であるという課題がある。
【００１３】
（発明の目的）
本発明の目的は、ユーザの利便性を確保しつつ、通信装置の消費電力を充分に低減することが可能な通信装置、通信装置の制御方法及び通信装置の制御プログラムを提供することにある。
【課題を解決するための手段】
【００１４】
本発明の通信装置は、周辺の明るさを検出する照度センサと、外部と通信するための通信インタフェースと、検出された明るさと所定の閾値との比較結果に基づいて通信インタフェースへの電源供給を制御する制御部と、を備える。
【００１５】
本発明の通信装置の制御方法は、周辺の明るさを検出し、通信インタフェースによって外部と通信し、検出された前記明るさと所定の閾値との比較結果に基づいて前記通信インタフェースへの電源供給を制御する、ことを特徴とする。
【００１６】
本発明の通信装置の制御プログラムは、周辺の明るさを検出する手順、通信インタフェースによって外部と通信する手順、検出された前記明るさと所定の閾値との比較結果に基づいて前記通信インタフェースへの電源供給を制御する手順、を通信装置のコンピュータに実行させる。
【発明の効果】
【００１７】
本発明は、ユーザの利便性を確保しつつ、かつ通信装置の消費電力を充分に低減することができる。
【図面の簡単な説明】
【００１８】
【図１】第１の実施形態で用いられるルータの構成を示すブロック図である。
【図２】第１の実施形態における省電力システムの構成を示す図である。
【図３】第１の実施形態の省電力システムにおける、通信インタフェースの制御例を示す図である。
【図４】第１の実施形態における、ユーザの状態とルータの動作状態との関係を示す図である。
【図５】第１の実施形態における、通信インタフェースの他の制御例を示す図である。
【図６】第１の実施形態における、通信インタフェースのさらに他の制御例を示す図である。
【図７】ルータが省電力状態に移行するフローを示す図である。
【図８】ルータの省電力状態が解除されるフローを示す図である。
【図９】測定された明るさが閾値以上となった場合にルータが省電力状態に移行するフローを示す図である。
【図１０】測定された明るさが閾値未満となった場合にルータの省電力状態が解除されるフローを示す図である。
【図１１】第２の実施形態の省電力システムの構成を示す図である。
【図１２】第２の実施形態の省電力システムにおける、通信インタフェースの制御例を示す図である。
【図１３】第３の実施形態の通信装置の構成を示すブロック図である。
【図１４】本発明に関連する、省電力システムの構成を示す図である。
【図１５】本発明に関連する、ユーザの状態と通信装置の動作状態との関係の例を示す図である。
【発明を実施するための形態】
【００１９】
（第１の実施形態）
図１は、本発明の第１の実施形態で用いられるルータ１００の構成を示すブロック図である。ルータ１００は、照度センサ１０１、無線インタフェース１０２、有線インタフェース１０３、ＷＡＮインタフェース１０４及び制御部１０５を備える。
【００２０】
照度センサ１０１は、ルータ１００の周辺の明るさを検出し、制御部１０５からの要求に応じて、検出された明るさを制御部１０５へ通知する。ここで、照度センサ１０５によって検出される「明るさ」は、ルータ１００を照射する光の量に対応する物理量であり、例えば照度でもよい。
【００２１】
無線インタフェース１０２は、ルータ１００と他の機器とを、無線通信により接続するためのインタフェースである。有線インタフェース１０３は、ルータ１００と他の機器とを、有線通信により接続するためのインタフェースである。ＷＡＮインタフェース１０４は、インターネット等の広域ネットワークとルータ１００とを接続するためのインタフェースである。ＷＡＮインタフェース１０４の接続手段は、有線あるいは無線のいずれでもよい。なお、以降では、ルータが備えるインタフェースを総称して「通信インタフェース」と記載する。
【００２２】
制御部１０５は、各通信インタフェースを、ルータ１００内部で相互に接続する。制御部１０５は、各通信インタフェースから入力されたＩＰ（Internet protocol）パケットのＩＰアドレスを解析し、あらかじめ定められた規則により、ＩＰパケットを所定のインタフェースへ出力する。その結果、通信インタフェースに接続された機器あるいはネットワークは、相互に通信可能となる。なお、各通信インタフェースで入出力されるデータはＩＰパケットに限定されず、また、制御部１０５がデータを各通信インタフェースへ出力する規則も、ＩＰアドレスに基づく手順には限定されない。
【００２３】
制御部１０５は、照度センサ１０１に対して、検出された明るさの通知を要求する。制御部１０５が明るさを照度センサから取得する頻度は、例えば１分ごとであるが、これには限定されず、また、頻度は適宜変更されてもよい。また、制御部１０５は、明るさの閾値と通知された明るさとの比較結果に応じて、各通信インタフェースへの電源供給を制御する制御手順を記憶している。そして、制御部１０５が各通信インタフェースへの電源供給を停止することで、ルータ１００は省電力状態に移行し（省電力制御）、制御部１０５が各通信インタフェースへの電源供給を開始することで、ルータ１００の省電力状態は解除される。
【００２４】
なお、制御部１０５は、ＣＰＵ（central processing unit）１０６及びメモリ１０７を備え、明るさの閾値及び制御手順をメモリに記憶していてもよい。例えば、制御手順はプログラムとして記憶され、そのプログラムをＣＰＵに実行させることで、ルータ１００が制御されてもよい。
【００２５】
図２は、本発明の第１の実施形態における省電力システム１の構成を示す図である。省電力システム１は、ルータ１００、無線接続機器２００及び有線接続機器３００を備える。
【００２６】
無線接続機器２００は、例えばノート型パーソナルコンピュータや携帯ゲーム機であり、有線接続機器３００は、例えばデスクトップ型パーソナルコンピュータであるが、これらには限定されない。
【００２７】
ルータ１００は、無線インタフェース１０２を介して、無線接続機器２００と接続される。また、ルータ１００は、有線インタフェース１０３を介して、有線接続機器３００と接続される。ルータ１００は、さらに、ＷＡＮインタフェース１０４を介して、インターネット４００と接続される。そして、ルータ１００は、無線接続機器２００、有線接続機器３００及びインターネット４００を相互に接続する。
【００２８】
照明機器５００は、ルータ１００が設置されている室内に設置された照明である。照度センサ１０１は、ルータ１００の周辺の明るさを、制御部１０５に通知する。
【００２９】
図２においては、照明機器５００は点灯しており、照度センサ１０１から通知される明るさは、ルータ１００に記憶された閾値よりも大きい。この場合、制御部１０５は、いずれの通信インタフェースへの電源供給も制限しない。すなわち、ルータ１００では、省電力制御が行われず、通信インタフェースは通常通り動作する。
【００３０】
ここで、明るさの閾値は、ルータの省電力制御が開始される際の明るさと、ルータの省電力制御が解除される際の明るさとの間に設定される。また、ルータの省電力制御を開始する際と、ルータの省電力制御を解除する際とで、異なる明るさが閾値として用いられてもよい。
【００３１】
図３は、図２に示した第１の実施形態の省電力システム１における、通信インタフェースの制御例を示す図である。図３では、照明機器５００の消灯により、照度センサ１０１で測定された明るさが閾値を下回る。その結果、ルータ１００は省電力状態に移行する。無線インタフェース１０２、有線インタフェース１０３及びＷＡＮインタフェース１０４のすべてに対して電源の供給が停止されることで、ルータ１００は省電力状態に移行する。その結果、ルータ１００の消費電力が低減されるとともに、ルータ１００と外部との接続は全て切断される。
【００３２】
このように、第１の実施形態のルータ１００は、照明機器５００が消灯されると、照度センサ１０１によって検出される明るさが減少する結果、省電力状態に移行する。また、消灯していた照明機器５００が点灯されると、照度センサ１００によって検出される明るさが増加するため、ルータ１００の省電力状態が解除され、通信インタフェースが通常の動作に復帰する。
【００３３】
特に家庭では、ユーザが外出する時や就寝するときは室内灯が消灯され、ユーザの帰宅時や起床の際には室内灯が点灯される。従って、ルータ１００は、ユーザが在宅しあるいは起床しているため室内が明るい間は通常の状態で動作し、ユーザが外出しあるいは就寝しているため室内が暗い場合には省電力状態に移行する。
【００３４】
このように、ルータ１００は、照明機器５００の消灯及び点灯の動作だけで省電力状態が制御される。このため、ユーザはルータ１００を直接操作して省電力状態を制御する必要がない。また、タイマを用いてルータ１００の省電力制御を行った場合とは異なり、照明機器５００の点灯及び消灯と連動してルータ１００の省電力制御が行われるため、ルータ１００は、ユーザが照明装置５００を点灯させることで、いつでもルータ１００を使用することが可能である。
【００３５】
図４は、第１の実施形態における、ユーザの状態とルータの動作状態との関係の例を示す図である。図４では、図１５と同様に、ユーザの就寝時刻から起床時刻までの期間は、ユーザはルータを使用しない場合の例である。ユーザは、通常は就寝時刻から起床時刻まではルータを使用しないため、この間は、ルータは省電力制御されてもよい。
【００３６】
図４の横軸が「就寝時刻」の時点において、ユーザが就寝する際に照明装置５００を消灯すると、照度センサ１０１で検出される明るさが閾値未満に低下する。そして、ルータ１００は、明るさの低下を検出すると、直ちに所定の通信インタフェースへの電源供給を停止して省電力状態へ移行する。また、「起床時刻」の時点において、ユーザがルータ１００の設置場所の照明機器５００を点灯すると、照度センサ１０１で検出される明るさが閾値以上に高くなる。そして、ルータ１００は、明るさの増加を検出すると、所定の通信インタフェースへの電源供給を再開することで省電力状態を解除する。
【００３７】
このように、ルータ１００は、照明機器５００の消灯及び点灯と同期して、迅速に省電力状態へ移行し、また省電力状態から復帰する。このため、ルータ１００は、ユーザがルータ１００を操作して省電力状態を制御する必要がない。また、ルータ１００では、タイマの設定によりユーザがネットワークを利用できなかったり、省電力制御が可能な時間帯であっても省電力制御が行われなかったりする場合があるという問題も生じない。
【００３８】
従って、第１の実施形態のルータ１００は、ユーザの利便性を確保しつつ、通信装置の消費電力を充分に低減することを可能とするという効果を奏する。
【００３９】
（第１の実施形態における、通信インタフェースの他の制御例）
図５は、第１の実施形態における、通信インタフェースの他の制御例を示す図である。図５は、図２に示した省電力システム１において、照明機器５００が消灯した場合に、有線インタフェース１０３のみが切断される動作を示す。図５においては、明るさが閾値を下回った場合には有線インタフェース１０３のみ電源の供給が停止され、無線インタフェース１０２及びＷＡＮインタフェース１０４には電源が供給される。図５に示す構成では、明るさが閾値を下回ると、有線インタフェース１０３の停止による省電力効果が得られる一方、無線接続機器２００とインターネット４００との間の接続は維持される。このため、例えば、ルータ１００が設置された部屋が消灯されていても、無線接続機器２００に相当するノート型パーソナルコンピュータ等の無線接続機能を用いて、ユーザは、他の部屋からルータ１００を経由してインターネット４００を利用できる。
【００４０】
（第１の実施形態における、通信インタフェースのさらに他の制御例）
図６は、第１の実施形態における、通信インタフェースのさらに他の制御例を示す図である。図６は、図５とは異なり、照明機器５００が消灯した場合に、無線インタフェース１０２のみが切断される動作を示す。図６では、明るさが閾値を下回った場合には無線インタフェース１０２のみ電源の供給が停止され、有線インタフェース１０３及びＷＡＮインタフェース１０４には通常通り電源が供給される。すなわち、図６の実施形態では、明るさが閾値を下回ると、無線インタフェース１０２の停止による省電力効果が得られる一方、有線接続機器３００とインターネット４００との間の接続は維持される。このため、例えば、ルータ１００が設置された部屋が消灯されていても、有線接続機器３００に相当するデスクトップ型パーソナルコンピュータ等を用いて、ユーザは、他の部屋からルータ１００を経由してインターネット４００を利用できる。
【００４１】
図３、図５及び図６に示すように、周辺の明るさが閾値を下回った場合にどのインタフェースへの電源供給を停止するかは、制御部１０５への設定により変更することができる。
【００４２】
例えば、第１の実施形態の省電力システム１において、ルータ１００は、照度センサ１０１により検出された明るさが低下すると、ＷＡＮインタフェース１０４のみの電源供給を停止してもよい。この場合、照明機器５００が消灯している間は、ＷＡＮインタフェース１０４の停止による省電力効果が得られるとともに、無線接続機器２００と有線接続機器３００との間の通信は維持される。
【００４３】
（第１の実施形態における動作フロー）
図７及び図８は、第１の実施形態における動作フローを示すフローチャートである。
【００４４】
図７は、ルータ１００の通信インタフェースの省電力状態が解除されている場合に、ルータ１００が省電力状態に移行するフローを示す図である。図７において、制御部１０５は、照度センサ１０１から通知された明るさが閾値以上である場合（図７のＳ１０１：Ｙｅｓ）には省電力状態の解除を維持する。一方、制御部１０５は、照度センサ１０１から通知された明るさが閾値未満となると（図７のＳ１０１：Ｎｏ）、通信インタフェースへの電源供給を停止する（Ｓ１０２）。これにより、ルータ１００は省電力状態に移行する。
【００４５】
図８は、ルータ１００が省電力状態である場合に、ルータ１００の省電力状態が解除されるフローを示す図である。図８において、制御部１０５は、照度センサ１０１から通知された明るさが閾値未満である場合（図８のＳ２０１：Ｎｏ）には、省電力状態を維持する。一方、制御部１０５は、照度センサ１０１から通知された明るさが閾値以上である場合（図８のＳ２０１：Ｙｅｓ）には、通信インタフェースへの電源供給を開始する（Ｓ２０２）。なお、図７のフローと図８のフローとは交互に連続して実行されてもよい。図７及び図８に記載された手順により、ルータ１００の周囲が閾値よりも明るくなるとルータ１００が省電力状態に移行し、ルータ１００の周囲が閾値よりも暗くなるとルータ１００の省電力状態が解除される。
【００４６】
一方、図７及び図８の手順とは異なり、ルータ１００の周囲が閾値よりも明るい時には所定の通信インタフェースへの電源供給が停止され、ルータ１００の周囲が閾値よりも暗い時には、通信インタフェースへ電源が供給される構成も考えられる。
【００４７】
図９は、測定された明るさが閾値以上となった場合にルータ１００が省電力状態に移行するフローを示す図である。図９において、制御部１０５は、照度センサ１０１から通知された明るさが閾値以上である場合（図９のＳ３０１：Ｙｅｓ）には、通信インタフェースへの電源供給を停止する（Ｓ３０２）。
【００４８】
図１０は、測定された明るさが閾値未満となった場合にルータの省電力状態が解除されるフローを示す。図１０において、制御部１０５は、照度センサ１０１から通知された明るさが閾値未満である場合（図１０のＳ４０１：Ｎｏ）には、通信インタフェースへの電源供給を再開する（Ｓ４０２）。また、図９のフローと図１０のフローとは交互に連続して実行されてもよい。
【００４９】
（第２の実施形態）
図１１は、本発明の第２の実施形態の省電力システム２の構成を示す図である。省電力システム２は、第１の実施形態の省電力システム１と比較して、ルータ１００に代えてルータ１１０を備える。ルータ１１０の構成は、図１に示したルータ１００と比較して、無線インタフェース及び有線インタフェースを２つずつ備えている点で相違するが、各部の機能はルータ１００と同様である。
【００５０】
なお、図１１及び図１２において、図２と同様の機能を備える要素には同一の名称と参照符号を付している。また、図１１及び図１２においては、２つの無線インタフェースによる無線通信機器２０１、２０２への接続はそれぞれ無線接続２１１、２１２と記載されている。そして、２つの有線インタフェースによる有線通信機器３０１、３０２への接続はそれぞれ有線接続３１１、３１２と記載されている。
【００５１】
図１２は、省電力システム２における、通信インタフェースの制御例を示す図である。図１２において、制御部１０５は、照度センサ１０１が検出した周辺の明るさに基づいて、無線インタフェース１１１及び有線インタフェース１１３への電源供給のみを停止する。その結果、無線接続２１１及び有線接続３１１は切断されるが、無線接続２１２及び有線接続３１２は切断されない。なお、ルータ１１０が無線インタフェースあるいは有線インタフェースを３つ以上備える場合も、制御部１０５への設定により、それらのうち任意の通信インタフェースへの電源供給を明るさに応じて制御することで、ルータ１１０の省電力状態を制御することができる。
【００５２】
このように、ルータ１１０が無線インタフェース及び有線インタフェースをそれぞれ複数備える場合に、通信インタフェースごとに省電力制御を実施するか実施しないかを制御部１０５に設定することで、よりユーザの利便性と省電力効果とに適合させた省電力設定が可能である。
【００５３】
従って、第２の実施形態のルータ１１０も、第１の実施形態のルータ１００と同様に、ユーザの利便性を確保しつつ、通信装置の消費電力を充分に低減可能という効果を奏する。
【００５４】
第１の実施形態及び第２の実施形態では、ルータの省電力機能について説明した。しかしながら、これまでに説明した省電力機能は、ルータ以外の通信装置に対しても適用可能である。
【００５５】
また、第１の実施形態及び第２の実施形態では、建物内の照明機器による明るさに応じてルータの省電力制御が行われる構成を示した。しかし、ルータが、太陽光が入射する位置に設置されている場合には、照度センサが検出した太陽光による明るさに基づいて、ルータの省電力制御を行ってもよい。
【００５６】
（第３の実施形態）
図１３は、本発明の第３の実施形態の通信装置８００の構成を示すブロック図である。通信装置８００は、照度センサ８０１と、通信インタフェース８０２と、制御部８０３と、を備える。照度センサ８０１は、通信装置８００の周辺の明るさを検出して、制御部８０３に通知する。通信インタフェース８０２は、通信装置８０１と外部とが通信するためのインタフェースである。制御部８０３は、検出された明るさと所定の閾値との比較結果に基づいて、通信インタフェース８０２への電源供給を制御する。
【００５７】
このような構成を備える通信装置８００において、制御部８０３は、照度センサ８０１によって検出される周辺の明るさに応じて、通信インタフェース８０２への電源供給を制御する。その結果、ユーザが退室するなどの理由により通信装置８００の周辺の明るさが変化すると、制御部８０３は通信インタフェース８０２への電源供給を制御して、通信装置８００の消費電力を低減させることができる。また、この際、ユーザは通信装置８００への操作を行う必要がなく、かつ、ユーザの状態にあわせて通信装置８００の省電力制御が行われる。
【００５８】
すなわち、第３の実施形態の通信装置８００は、ユーザの利便性を確保しつつ、かつ通信装置の消費電力を充分に低減することができるという効果を奏する。
【００５９】
以上、実施形態を参照して本願発明を説明したが、本願発明は上記の実施形態に限定されない。本願発明の構成や詳細には、本願発明のスコープ内で当業者が理解し得る様々な変更をすることができる。
【符号の説明】
【００６０】
１、２、９  省電力システム
１００、１１０、９００  ルータ
１０１  照度センサ
１０２、１１１、１１２  無線インタフェース
１０３、１１３、１１４  有線インタフェース
１０４  ＷＡＮインタフェース
１０５、８０３  制御部
１０６  ＣＰＵ
１０７  メモリ
２００、２０１、２０２、９０３  無線接続機器
３００、３０１、３０２、９０４  有線接続機器
２１１、２１２  無線接続
３１１、３１２  有線接続
４００  インターネット
５００  照明機器
８００  通信装置
８０１  照度センサ
８０２、９０２  通信インタフェース
９０１  タイマ
【図１】
2014206842.tif 000003
【図２】
2014206842.tif 000004
【図３】
2014206842.tif 000005
【図４】
2014206842.tif 000006
【図５】
2014206842.tif 000007
【図６】
2014206842.tif 000008
【図７】
2014206842.tif 000009
【図８】
2014206842.tif 000010
【図９】
2014206842.tif 000011
【図１０】
2014206842.tif 000012
【図１１】
2014206842.tif 000013
【図１２】
2014206842.tif 000014
【図１３】
2014206842.tif 000015
【図１４】
2014206842.tif 000016
【図１５】
2014206842.tif 000017